(57)【要約】【課題】  プラズマパネルにおける電源の設置数を低減することが可能なプラズマパネルの駆動方法を提供すること。【解決手段】  プラズマパネルの駆動方法おいて，リセット期間において，Ｘ電極を第１電圧（例えば，Ｖａ電圧）に維持した状態で，Ｙ電極の電圧を第２電圧（例えば，Ｖｓ電圧）から第３電圧（例えば，Ｖｎｆ電圧）まで漸進的に下降させる段階と；アドレス期間において，発光する放電セルを選択するため，Ｙ電極に第４電圧（例えば，ＶｓｃＬ電圧）を印加し，Ａ電極に上記第１電圧（例えば，Ｖａ電圧）を印加する段階と；を含むことを特徴とする。このように，リセット期間及びアドレス期間でＸ電極に印加される電圧をＶａ電圧と同一に設定することによって，電源設置数を低減することが可能になる。【選択図】  図６
2005250479.tif 000002
【特許請求の範囲】
【請求項１】
第１パネル基板上に並列して形成される複数の第１電極及び第２電極と，第２パネル基板上に前記第１及び第２電極と交差する方向に形成される複数の第３電極とを含み，前記第１電極，前記第２電極及び前記第３電極によって放電セルが形成されるプラズマパネルを駆動する方法において：
リセット期間において，前記第１電極を第１電圧に維持した状態で，前記第２電極の電圧を第２電圧から第３電圧まで漸進的に下降させる段階と；
アドレス期間において，発光する放電セルを選択するため，前記第２電極に第４電圧を印加し，前記第３電極に前記第１電圧を印加する段階と；
を含むことを特徴とする，プラズマパネルの駆動方法。
【請求項２】
前記アドレス期間において，前記第１電極を前記第１電圧に維持することを特徴とする，請求項１に記載のプラズマパネルの駆動方法。
【請求項３】
前記第３電圧は，マイナス電圧であることを特徴とする，請求項１または２に記載のプラズマパネルの駆動方法。
【請求項４】
前記第１電圧と前記第３電圧の差は，維持期間において維持放電のために前記第１電極と前記第２電極に印加される電圧の差より大きいことを特徴とする，請求項１〜３のいずれかに記載のプラズマパネルの駆動方法。
【請求項５】
第１パネル基板上に並列して形成される複数の維持電極及び走査電極と，第２パネル基板上に前記維持電極及び前記走査電極と交差する方向に形成される複数のアドレス電極とを含むプラズマパネルと；
前記プラズマパネルに電圧を供給する電源部と；
前記電源部から供給された電圧を利用して前記維持電極，前記走査電極及び前記アドレス電極を駆動する駆動部と；
を備え，
前記電源部は，アドレス期間で発光する放電セルの前記アドレス電極に印加される電圧を利用して，前記アドレス期間で前記維持電極に印加される電圧を供給することを特徴とする，プラズマ表示装置。
【請求項６】
前記電源部は，前記アドレス期間で発光する放電セルの前記アドレス電極に印加される電圧を利用して，リセット期間で前記走査電極の電圧が漸進的に下降する時に前記維持電極に印加される電圧を供給することを特徴とする，請求項５に記載のプラズマ表示装置。
【請求項７】
複数の第１電極，複数の第２電極によって放電セルが形成されるプラズマパネルを，一つのフレーム期間を複数のサブフィールド期間に分けて駆動する方法であって：
リセット期間において，前記第１電極を第１電圧に維持した状態で前記第２電極の電圧を漸進的に減少させる段階と；
アドレス期間において，前記第１電極を第２電圧に維持した状態で，発光する放電セルを選択する段階と；
維持期間において，前記第１電極と前記第２電極に対し，第３電圧と前記第３電圧より低い第４電圧とを交互に有する維持放電パルスを反対位相で印加する段階と；
を含み，
前記第１電圧及び第２電圧のうちの少なくとも一つの電圧は，前記第３電圧と前記第４電圧の中間電圧に該当する電圧であることを特徴とする，プラズマパネルの駆動方法。
【発明の詳細な説明】
【技術分野】
【０００１】
本発明は，プラズマパネルの駆動方法，プラズマ表示装置に関する。
【背景技術】
【０００２】
プラズマパネルはプラズマ表示装置の主要部品であって，気体放電によって生成されたプラズマを利用して文字または映像を表示する。このようなプラズマパネルにはその大きさによって数十〜数百万個以上の画素がマトリックス形態で配列されている。
【０００３】
まず，図１を参照してプラズマパネルの構造について説明する。図１はプラズマパネルの一部斜視図である。図１に示すように，プラズマパネルは，互いに対をなす二つのパネル基板１，６を含む。パネル基板１上には，走査電極４（以下，“Ｙ電極”という）と維持電極５（以下，“Ｘ電極”という）が一対になって平行に形成されている。Ｙ電極４とＸ電極５は誘電体層２及び保護膜３で覆われている。
【０００４】
パネル基板６上には，複数のアドレス電極８（以下，“Ａ電極”という）が形成されており，Ａ電極８は絶縁体層７で覆われている。隣接するＡ電極８の間にある絶縁体層７上には，隔壁９が形成されている。また，絶縁体層７の表面及び隔壁９の両側面に蛍光体１０が形成されている。両パネル基板１，６は，Ｙ電極４とＡ電極８及びＸ電極５とＡ電極８が各々直交するように放電空間１１を間に置いて一対配置されている。
【０００５】
Ａ電極８と，一対のＸ，Ｙ電極４，５との交差部にある放電空間１１が放電セル１２を形成する。
【０００６】
このような構造のプラズマパネルに印加される駆動波形は，次の通りである。
【０００７】
図２は従来技術によるプラズマパネルの駆動波形図である。図示のように，従来のプラズマパネルの駆動方法によると，各サブフィールドは，リセット期間，アドレス期間，維持期間からなる。
【０００８】
リセット期間は，消去期間，上昇期間，下降期間を含み，以前の維持放電の壁電荷状態を消去し，次のアドレス放電を安定的に行うため壁電荷を所定の状態にする役割を果たす。
アドレス期間は，発光セルと非発光セルを選択して，発光セル（アドレシングされたセル）に壁電荷を印加する動作を行う期間である。維持期間は，発光セルに実際に画像を表示するため，放電する期間である。
【０００９】
【特許文献１】米国特許第５，７４５，０８６号明細書
【発明の開示】
【発明が解決しようとする課題】
【００１０】
ところで，最近では，プラズマパネルの効率を向上させるため，放電ガス中のキセノン（Ｘｅ）の比率を１０％以上に高めて使用するが，キセノン（Ｘｅ）の比率が高まるほど放電開始電圧も高くなる。従って，維持期間にＹ電極またはＸ電極に印加されるＶｓ電圧も増加する。
【００１１】
また，維持期間以外の電圧レベルを全体的に低くするため，リセット期間の下降期間でＹ電極の電圧を負の電圧（Ｖｎｆ）に下げ，アドレス期間で発光放電セルのＹ電極に印加される電圧も負の電圧（ＶｓｃＬ）に下げる。また，維持期間において，アドレシングされない放電セルの誤放電を防ぐため，リセット期間の下降期間にＸ電極に印加される電圧（Ｖｅ）とＹ電極に印加される負の電圧（Ｖｎｆ）との差が，維持期間に印加されるＶｓ電圧より高くなるよう，Ｖｅ電圧が設定される。この時，Ｖｎｆ電圧が負の電圧であるため，Ｖｅ電圧は普通Ｖｓ電圧より低く設定される。図２の駆動波形では，Ｖｅ電圧，Ｖｎｆ電圧，Ｖｓ電圧，Ｖｓｅｔ電圧，Ｖａ電圧，ＶｓｃＨ電圧，ＶｓｃＬ電圧などを印加するためには多数の電源が必要になるという問題があった。このため，電源数増加によって製造費用及び駆動費用を増加させていた。
【００１２】
そこで，本発明は，上記問題に鑑みてなされたものであり，本発明の目的とするところは，プラズマパネルにおける電源の設置数を低減することが可能な，新規かつ改良されたプラズマパネルの駆動方法およびプラズマ表示装置を提供することにある。
【課題を解決するための手段】
【００１３】
上記課題を解決するために，本発明のある観点によれば，第１パネル基板上に並列して形成される複数の第１電極（例えば，維持電極）及び第２電極（例えば，走査電極）と，第２パネル基板上に上記第１及び第２電極と交差する方向に形成される複数の第３電極（例えば，アドレス電極）とを含み，上記第１電極，上記第２電極及び上記第３電極によって放電セルが形成されるプラズマパネルを駆動する方法が提供される。このプラズマパネルの駆動方法は，リセット期間において，上記第１電極を第１電圧（例えば，Ｖａ電圧）に維持した状態で，上記第２電極の電圧を第２電圧（例えば，Ｖｓ電圧）から第３電圧（例えば，Ｖｎｆ電圧）まで漸進的に下降させる段階と；アドレス期間において，発光する放電セルを選択するため，上記第２電極に第４電圧（例えば，ＶｓｃＬ電圧）を印加し，上記第３電極に上記第１電圧（例えば，Ｖａ電圧）を印加する段階と；を含むことを特徴とする。
【００１４】
これにより，リセット期間の下降期間及びアドレス期間で第１電極に印加される電圧を，アドレス期間で第３電極に印加されるパルス電圧に設定することによって，プラズマパネルの電源設置数を低減することができる。
【００１５】
また，上記アドレス期間において，上記第１電極を上記第１電圧に維持するようにしてもよい。
【００１６】
また，上記第３電圧は，マイナス電圧であってもよい。
【００１７】
また，上記第１電圧と上記第３電圧の差は，維持期間において維持放電のために上記第１電極と上記第２電極に印加される電圧の差（例えば，Ｖｓ電圧）より大きくてもよい。
【００１８】
また，上記課題を解決するために，本発明の別の観点によれば，第１パネル基板上に並列して形成される複数の維持電極及び走査電極と，第２パネル基板上に上記維持電極及び上記走査電極と交差する方向に形成される複数のアドレス電極とを含むプラズマパネルと；上記プラズマパネルに電圧を供給する電源部と；上記電源部から供給された電圧を利用して上記維持電極，上記走査電極及び上記アドレス電極を駆動する駆動部と；を備え，上記電源部は，アドレス期間で発光する放電セルの上記アドレス電極に印加される電圧を利用して，上記アドレス期間で上記維持電極に印加される電圧を供給することを特徴とする，プラズマ表示装置が提供される。
【００１９】
また，上記電源部は，上記アドレス期間で発光する放電セルの上記アドレス電極に印加される電圧を利用して，リセット期間で上記走査電極の電圧が漸進的に下降する時に上記維持電極に印加される電圧を供給するようにしてもよい。
【００２０】
また，上記課題を解決するために，本発明の別の観点によれば，複数の第１電極，複数の第２電極によって放電セルが形成されるプラズマパネルを，一つのフレーム期間を複数のサブフィールド期間に分けて駆動する方法が提供される。このプラズマパネルの駆動方法は，リセット期間において，上記第１電極を第１電圧（例えば，Ｖａ電圧）に維持した状態で上記第２電極の電圧を漸進的に減少させる段階と；アドレス期間において，上記第１電極を第２電圧（例えば，Ｖａ電圧）に維持した状態で，発光する放電セルを選択する段階と；維持期間において，上記第１電極と上記第２電極に対し，第３電圧（例えば，Ｖｓ電圧）と，上記第３電圧より低い第４電圧（例えば，基準電圧）とを交互に有する維持放電パルスを反対位相で印加する段階と；を含む。さらに，上記第１電圧及び第２電圧のうちの少なくとも一つの電圧は，上記第３電圧と上記第４電圧の中間電圧（例えば，Ｖｓ／２電圧）に該当する電圧であることを特徴とする。
【００２１】
これにより，リセット期間の下降期間又はアドレス期間で第１電極に印加される電圧を，上記第３電圧と上記第４電圧の中間電圧に設定することによって，プラズマパネルの電源設置数を低減することができる。
【発明の効果】
【００２２】
以上説明したように本発明によれば，プラズマパネルの電源設置数を低減することができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施形態）
以下に，本発明の第１の実施形態にかかるプラズマパネルの駆動方法，プラズマ表示装置について説明する。
【００２５】
本実施形態にかかる壁電荷は，セルの壁（例えば，誘電体層）上で，各電極の近くに形成される電荷を意味する。また，壁電荷は実際には電極自体に接触しているものではないが，以下では，電極に“形成される”，“蓄積される”または“積まれる”のように表現して説明する。また，壁電圧は壁電荷によってセルの壁に形成される電位差を意味する。
【００２６】
図３〜図５は，本実施形態にかかるプラズマ表示装置の概略的な構成を表す概念図である。図３は，本実施形態にかかるプラズマパネルの分解斜視図であり，図４は，本実施形態にかかるプラズマパネルの概略的な電極配置を示す平面図である。図５は，本実施形態にかかるシャーシーベースの後面を示す概略的な平面図である。
【００２７】
図３に示すように，プラズマ表示装置は，プラズマパネル１０，シャーシーベース２０，前面ケース３０及び後面ケース４０を含む。シャーシーベース２０は，プラズマパネル１０の映像が表示される面（前面）の反対側に配置されて，プラズマパネル１０と結合される。前面及び後面ケース３０，４０は，プラズマパネル１０の前面及びシャーシーベース２０の後面に各々配置されて，プラズマパネル１０及びシャーシーベース２０と結合され，これによってプラズマ表示装置が形成される。
【００２８】
図４に示すように，プラズマパネル１０は，縦方向の複数のＡ電極（Ａ１〜Ａｍ）と，横方向の複数のＹ電極（Ｙ１〜Ｙｎ）及び複数のＸ電極（Ｘ１〜Ｘｎ）と，を含む。Ｘ電極（Ｘ１〜Ｘｎ）は，各Ｙ電極（Ｙ１〜Ｙｎ）に対応して対となって形成され，一般的にその一端は，互いに連結されている。そして，プラズマパネル１０は，Ｘ及びＹ電極（Ｘ１〜Ｘｎ，Ｙ１〜Ｙｎ）が配列されたパネル基板と，Ａ電極（Ａ１〜Ａｍ）が配列されたパネル基板を含む。二つのパネル基板は，Ｙ電極（Ｙ１〜Ｙｎ）とＡ電極（Ａ１〜Ａｍ）とが直交し，Ｘ電極（Ｘ１〜Ｘｎ）とＡ電極（Ａ１〜Ａｍ）が直交するように，放電空間を空けて対となるように対向配置されている。この時，Ａ電極（Ａ１〜Ａｍ）とＸ及びＹ電極（Ｘ１〜Ｘｎ，Ｙ１〜Ｙｎ）との交差部にある放電空間がセルを形成する。
【００２９】
なお，本実施形態において，第１電極は維持電極（Ｘ電極）に該当し，第２電極は走査電極（Ｙ電極）に該当し，アドレス電極（Ａ電極）に該当する。
【００３０】
図５に示すように，シャーシーベース２０には，プラズマパネル１０の駆動に必要な基板群１００〜６００が形成されている。アドレスバッファー基板１００は，シャーシーベース２０の上部及び下部に各々形成されており，単一基板構成または複数基板構成にすることが出来る。
【００３１】
図５では，デュアル駆動をするプラズマ表示装置を例として説明しているが，シングル駆動の場合には，アドレスバッファー基板１００は，シャーシーベース２０の上部及び下部の中に，ある１ケ所に配置されてもよい。このようなアドレスバッファー基板１００は，画像処理及びロジック基板５００からアドレス駆動制御信号を受信して，表示しようとする放電セルを選択するための電圧を各Ａ電極（Ａ１〜Ａｍ）に印加する。
【００３２】
走査及び維持駆動基板２００，３００は，各々シャーシーベース２０の左側及び右側に配置されている。走査駆動基板２００は，走査バッファー基板４００を経てＹ電極（Ｙ１〜Ｙｎ）に電気的に連結されている。走査バッファー基板４００は，アドレス期間でＹ電極（Ｙ１〜Ｙｎ）を順次に選択するための電圧をＹ電極（Ｙ１〜Ｙｎ）に印加する。
【００３３】
走査及び維持駆動基板２００，３００は，画像処理及びロジック基板５００から駆動信号を受信して，それぞれ，Ｙ電極（Ｙ１〜Ｙｎ），Ｘ電極（Ｙ１〜Ｙｎ）に駆動電圧を印加する。なお，図５では，走査及び維持駆動基板２００，３００が分離された構成について説明したが，二つの基板２００，３００を，一つの基板に統合することも可能であり，走査バッファー基板４００も，走査駆動基板２００と一体化することが出来る。
【００３４】
画像処理及びロジック基板５００は，外部から映像信号を受信して，Ａ電極（Ａ１〜Ａｍ）の駆動に必要な制御信号と，Ｙ電極（Ｙ１〜Ｙｎ）及びＸ電極（Ｘ１〜Ｘｎ）の駆動に必要な制御信号とを形成して，各々アドレスバッファー基板１００と走査及び維持駆動基板２００，３００に印加する。
【００３５】
電源基板６００は，プラズマ表示装置の駆動に必要な電源を供給する。画像処理及びロジック基板５００と電源基板６００は，シャーシーベース２０の中央に配置される。
【００３６】
次に，図６を参照にして，本実施形態にかかるプラズマパネルの駆動波形について詳細に説明する。説明の便宜上，一つのセルを形成するＹ電極，Ｘ電極及びＡ電極に印加される駆動波形について説明する。
【００３７】
図６に示すように，各サブフィールドは，リセット期間，アドレス期間及び維持期間からなり，リセット期間は，消去期間，上昇期間及び下降期間からなる。
【００３８】
リセット期間の消去期間は，前のサブフィールドの維持期間で維持放電によって形成された電荷を消去するための期間である。上昇期間は，Ｙ電極，Ｘ電極及びＡ電極に壁電荷を形成する期間であり，下降期間は，上昇期間で形成された壁電荷を一部消去してアドレス放電を容易にする期間である。
【００３９】
アドレス期間は，複数の放電セルの中で，維持期間で維持放電を起こす放電セルを選択する期間である。維持期間は，Ｙ電極とＸ電極に交互に維持放電パルスを印加して，アドレス期間で選択された放電セルを維持放電させる期間である。
【００４０】
まず，前のサブフィールドの維持期間では，Ｙ電極とＸ電極の間の維持放電によってＹ電極に負の壁電荷が積まれて，Ｘ電極に正の壁電荷が積まれるようになる。次いで，当該維持期間が終了して消去期間になると，Ｙ電極を基準電圧（例えば，図６の例では零ボルト）に維持した状態で，Ｘ電極の電圧を基準電圧からＶｓ電圧まで漸進的（徐々に）に増加させる。そうすると，Ｘ電極とＹ電極に形成された壁電荷が消去される。なお，図６の駆動波形とは異なり，前のサブフィールドの維持期間で形成された壁電荷を消去させる消去期間がなくても駆動することも出来る。
【００４１】
次に，上昇期間では，Ｘ電極を基準電圧に維持した状態で，Ｙ電極の電圧をＶｓ電圧からＶｓｅｔ電圧まで漸進的に増加させる。図６では，Ｙ電極の電圧がランプ状に増加する例を示してある。そうすると，Ｙ電極の電圧が増加する間に，Ｙ電極とＸ電極との間，及びＹ電極とＡ電極との間において，微弱な放電（以下，“弱放電”という）が起こる。その過程で，Ｙ電極には負の壁電荷が形成され，Ｘ及びＡ電極には正の壁電荷が形成される。そして，電極の電圧が，図６のように漸進的に変わる場合には，セルに弱放電が起こりながら，外部から印加された電圧とセルの壁電圧の合計が，放電開始電圧状態を維持するように壁電荷が形成される。このような原理については，Ｗｅｂｅｒの米国特許第５，７４５，０８６に開示されている。
【００４２】
リセット期間では，全てのセルの状態を初期化するべきであるため，Ｖｓｅｔ電圧は，全ての条件のセルに放電を起こせる程度の高い電圧である。また，Ｖｓ電圧は，一般に維持期間でＹ電極に印加される電圧のうちの高い電圧であり，Ｙ電極とＸ電極の間の放電開始電圧より低い電圧である。
【００４３】
下降期間では，Ｘ電極をＶａ電圧に維持した状態で，Ｙ電極の電圧をＶｓ電圧からＶｎｆ電圧まで漸進的に減少させる。そうすると，Ｙ電極の電圧が減少する間に，Ｙ電極とＸ電極の間及びＹ電極とＡ電極の間で弱放電が起こり，Ｙ電極に形成された負の壁電荷とＸ電極及びＡ電極に形成された正の壁電荷が消去される。
【００４４】
次いで，アドレス期間では，放電セルを選択するため，Ｘ電極の電圧をＶａ電圧に維持した状態で，Ｙ電極にＶｓｃＬ電圧を有する走査パルスを印可するとともに，Ａ電極にＶａ電圧を有するアドレスパルスを印加する。そして，選択されないＹ電極は，ＶｓｃＬ電圧より高いＶｓｃＨ電圧でバイアスし，非発光セルのＡ電極には基準電圧を印加する。これにより，Ｖａ電圧が印加されたＡ電極とＶｓｃＬ電圧が印加されたＹ電極とによって形成される放電セルでアドレス放電が起こり，Ｙ電極には正の壁電荷が形成され，Ｘ電極には負の壁電荷が形成される。また，Ａ電極にも負の壁電荷が形成される。
【００４５】
以降，維持期間では，Ｙ電極とＸ電極に交互にＶｓ電圧の維持放電パルスが印加される。維持放電パルスは，Ｙ電極とＸ電極の電圧差が交互にＶｓ電圧及び−Ｖｓ電圧になるようにするパルスである。
【００４６】
以下，アドレス期間におけるアドレス放電によってＹ電極とＸ電極の間に形成された壁電圧とこのＶｓ電圧とによって，Ｙ電極とＸ電極で放電が起こる。その後，Ｙ電極にＶｓ電圧の維持放電パルスを印加する過程と，Ｘ電極にＶｓ電圧の維持放電パルスを印加する過程を，当該サブフィールドが表示する加重値に対応する回数だけ繰り返す。
【００４７】
本実施形態によれば，リセット期間の下降期間及びアドレス期間全体においてＸ電極に印加される電圧を，アドレス期間においてＡ電極に印可されるアドレスパルスのＶａ電圧と同一電圧に設定する。これによって，図２の駆動波形と比較してみると，Ｖｅ電圧を供給するための電源を設置しなくても良いため，電源の設置数を低減することができる。この時，Ｖａ電圧が過度に低いとＶａ電圧とＶｓｃＬ電圧の差が，Ｖｓ電圧と同一レベルまたはＶｓ電圧より低いレベルになる事も生じる。
【００４８】
このようになると，下降期間でＸ電極とＹ電極の間で壁電荷を十分に消去できず，アドレス期間でアドレス放電が起こらない放電セルが維持期間でＸ電極に印加されるＶｓ電圧によって放電される事も生じる。従って，Ｖａ電圧とＶｓｃＬ電圧の差をＶｓ電圧より大きく設定する必要がある。つまり，本実施形態では，Ｖａ電圧を図２の波形でのＶａ電圧より高くしたり，ＶｓｃＬ電圧を図２の波形でのＶｓｃＬ電圧より低くしたりして，Ｖａ電圧とＶｓｃＬ電圧の差をＶｓ電圧より大きくすることができる。図６の例では，ＶｓｃＬ電圧を図２の波形より下げて示した。
【００４９】
なお，本実施形態では，リセット期間の下降期間及びアドレス期間で，Ｘ電極にＶａ電圧を印加したが，これとは異なって，リセット期間の下降期間及びアドレス期間で，Ｘ電極にＶｓ／２の電圧を印加する事も出来る。この時，Ｖｓ／２の電圧は，無効電力を回収して再利用する電力回収回路を利用して維持期間での維持放電パルスを印加する時，キャパシタに充電される電圧で，パネルキャパシタとインダクタの共振によりＹ電極またはＸ電極にＶｓ電圧を印加する時，電源として使用する電圧である。
【００５０】
このように，リセット期間の下降期間及びアドレス期間で，Ｘ電極にＶｓ／２電圧を印加してもＶｓ／２電圧を供給するための別途の電源が不要になり，図２の駆動波形に比べて，Ｖｅ電圧による電源の設置数を減らすことができる。
【００５１】
上記のように本実施形態によれば，リセット期間の下降期間及びアドレス期間で維持電極のバイアス電圧を，Ｖａ電圧またはＶｓ／２電圧に設定することによって，プラズマパネルにおける供給電源の設置数を低減することが可能になり，これによるプラズマパネルの製造費用，駆動費用を節減することもできる。
【００５２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５３】
本発明は，プラズマパネルの駆動方法，プラズマ表示装置に適用可能であり，特に，電源の設置数が低減されたプラズマパネルの駆動方法，プラズマ表示装置に適用可能である。
【図面の簡単な説明】
【００５４】
【図１】プラズマパネルの概略的に示した一部斜視図である。
【図２】従来技術によるプラズマパネルの駆動波形図である。
【図３】本発明の第１の実施形態にかかる実施形態にかかるプラズマ表示装置の分解斜視図である。
【図４】同実施形態にかかるプラズマパネルの概略的な平面図である。
【図５】同実施形態にかかるシャーシーベースの概略的な平面図である。
【図６】同実施形態にかかるプラズマパネルの駆動波形図である。
【符号の説明】
【００５５】
１      パネル基板（走査・維持電極用）
２      誘電体層
３      保護膜
４      走査電極
５      維持電極
６      パネル基板（アドレス電極用）
７      絶縁体層
８      アドレス電極
９      隔壁
１０    プラズマパネル
１１    放電空間
１２    放電セル
２０    シャーシーベース
３０    前面ケース
４０    後面ケース
１００  アドレスバッファー基板
２００  走査駆動基板
３００  維持駆動基板
４００  走査バッファー基板
５００  ロジック基板
６００  電源基板
【図１】
2005250479.tif 000003
【図２】
2005250479.tif 000004
【図３】
2005250479.tif 000005
【図４】
2005250479.tif 000006
【図５】
2005250479.tif 000007
【図６】
2005250479.tif 000008